(57)【特許請求の範囲】
【請求項１】
光源を有する壁面取付型の器具本体と、前記光源を覆って前記光源から水平方向への直接光を抑えるカバーとを備え、前記カバーの上部および下部を半透過性のルーバにより構成し、前記ルーバの各ルーバ片の傾き方向が前記ルーバの手前側について前記光源から前方への光を遮る方向であり、前記ルーバの壁側について前記光源から壁面への光を遮る方向であり、かつ、相隣接する前記ルーバ片は上下に重ならないように配置された照明器具。
【発明の詳細な説明】
【０００１】
【発明の属する技術分野】
この発明は、主に階段等の使用に好適な住宅用照明器具、店舗用照明器具などの壁面取付用の照明器具に関するものである。
【０００２】
【従来の技術】
壁面取付型照明器具において、上下のカバーに乳白パネルやパンチングメタル（小さい穴がたくさん開いている金属）を使用しているものがあった。
【０００３】
【発明が解決しようとする課題】
しかし、この照明器具は、グレアを感じる方向や輝度を抑えたい方向への直接光を抑えことは可能であるが、上下への明るさが多少抑えられるという欠点があった。
【０００４】
したがって、この発明の目的は、階段などで壁面取付型照明器具を使用したとき、上り下りの際、光源が直接目に入ることによるグレア（眩しさ）を低減しつつ、上下方向への明るさを十分確保することができる照明器具を提供することである。
【０００５】
【課題を解決するための手段】
請求項１記載の照明器具は、光源を有する壁面取付型の器具本体と、前記光源を覆って前記光源から水平方向への直接光を抑えるカバーとを備え、前記カバーの上部および下部を半透過性のルーバにより構成し、前記ルーバの各ルーバ片の傾き方向が前記ルーバの手前側について前記光源から前方への光を遮る方向であり、前記ルーバの壁側について前記光源から壁面への光を遮る方向であり、かつ、相隣接する前記ルーバ片は上下に重ならないように配置されたものである。
【０００６】
請求項１記載の照明器具によれば、階段などで使用したとき、上り下りの際、光源が直接目に入ることによるグレア（眩しさ）を低減しつつ、上下方向への明るさを十分確保することができ、足元を明るくできるので階段を安心して上り降りできる。上下カバーをルーバにすることにより空気が対流するので器具をコンパクトにできる。密閉型や上下が覆われているタイプでは熱がこもり温度の面でコンパクトにできない。またルーバにより壁側へは直接空気が対流しないため、熱対流による壁の汚れ低減が期待できる。
カバーの上部および下部の各ルーバ片の傾き方向が手前側について光源から前方への光を遮る方向であり、壁側について光源から壁面への光を遮る方向であるため、壁面への光を柔らかくでき、壁面のグレアがなく、壁面の広範囲の輝度を均一にできるとともに、光源が直接目に入るのを避けることができる。
また相隣接するルーバ片は上下に重ならないように配置されたため、上下方向へは光が直接出るので上下方向への明るさを十分確保することができる。
【００１１】
【発明の実施の形態】
この発明の第１の実施の形態を図１から図５により説明する。すなわち、この照明器具は、器具本体１と、カバー２と、ルーバ３を有する。
【００１２】
器具本体１は壁面７に取付ける壁面取付型であり、光源４を有する。光源４は器具本体１の前面に取付けられたランプソケット５に装着される。
【００１３】
カバー２は光源４を覆って光源４から水平方向への直接光を抑える。実施の形態では前面部８と前面部８に連結した両側面部９からなり、両側面部９の端部が器具本体１に取付けられている。
【００１４】
ルーバ３は半透過性であり、カバー２の上部および下部に設けられ、上部および下部の開口を塞いでいる。各ルーバ片３ａ、３ｂは例えば乳白色としている。上部および下部の各ルーバ片３ａ、３ｂの傾き方向は壁取付状態で手前側について光源４から前方への光を遮る方向に傾け、壁７側について光源４から壁７の表面への光を遮る方向に傾けている。すなわち、上部および下部のルーバ片３ａ、３ｂのうち手前側の約半分のルーバ片３ａのグループはカバー２の上部では後倒れ、下部では前倒れとなっており、壁７側の残りのルーバ片３ｂのグループは上部では前倒れ、下部では後倒れとなっている。これにより、壁７の表面への光を柔らかくでき、壁面のグレアがなく、壁面の広範囲の輝度を均一にできるとともに、光源４が直接目に入るのを避けることができる。
【００１５】
また相隣接するルーバ片３ａ、３ｂが図３に示すように上下に重ならないように配置している。これにより、上方向および下方向Ｐへは光が直接出るので上下方向への明るさを十分確保することができる。
【００１６】
なお、ルーバ片３ａ、３ｂの数、傾き角度、傾き違いの切り分け場所は光源４の位置により多少変わる。
【００１７】
図５は階段１１の壁７に照明器具１０を取付けた使用状態を示す。
【００１８】
この実施の形態によれば、階段１１などで使用したとき、上り下りの際、光源４が直接目に入ることによるグレア（眩しさ）を低減しつつ、上下方向への明るさを十分確保することができ、足元を明るくできるので階段を安心して上り降りできる。カバー２の上部および下部をルーバ３にすることにより空気が対流するので器具をコンパクトにできる。密閉型や上下が覆われているタイプでは熱がこもり温度の面でコンパクトにできない。またルーバ３により壁７側へは直接空気が対流しないため、熱対流による壁７の汚れ低減が期待できる。
【００１９】
さらに透過性のルーバ片３ａ、３ｂ例えば乳白ルーバとすると、透過光と直接光とでより明るく上下方向に照らすことができる。
【００２０】
この発明の第２の実施の形態を図６および図７に示す。この照明器具は、カバー２がプラスチック製であり、前面部８の裏側に遮熱板１３を配置している。１４は器具本体１の水平方向に並んだ一対のつまみナット、１５は壁７に取付けた取付板であり、つまみナット１４が締付けられるボルト１７を立設している。１６はルーバ取付け用の上金具および下金具である。その他は第１の実施の形態と同様である。
【００２１】
この発明の第３の実施の形態を図８に示す。この照明器具は、カバー２が木製であり、前面部部および両側面部９の裏側に略コ字形の遮熱板１９を配置している。その他は第１および第２の実施の形態と同様である。
【００２２】
この発明の第４の実施の形態を図９に示す。この照明器具は、カバー２がガラス製であり、器具本体１にサイド金具２０により取付けている。２１はカバー２と器具本体１との間に介在するパッキンである。その他は第１および第２の実施の形態と同様である。
【００２３】
【発明の効果】
請求項１記載の照明器具によれば、階段などで使用したとき、上り下りの際、光源が直接目に入ることによるグレア（眩しさ）を低減しつつ、上下方向への明るさを十分確保することができ、足元を明るくできるので階段を安心して上り降りできる。上下カバーをルーバにすることにより空気が対流するので器具をコンパクトにできる。密閉型や上下が覆われているタイプでは熱がこもり温度の面でコンパクトにできない。またルーバにより壁側へは直接空気が対流しないため、熱対流による壁の汚れ低減が期待できる。
とくに壁面への光を柔らかくでき、壁面のグレアがなく、壁面の広範囲の輝度を均一にできるとともに、光源が直接目に入るのを避けることができる。
また上下方向へは光が直接出るので上下方向への明るさを十分確保することができる。
【図面の簡単な説明】
【図１】この発明の第１の実施の形態の壁取付状態の断面図である。
【図２】ルーバを分離した状態の斜視図である。
【図３】ルーバと壁面と光源との関係を示す説明図である。
【図４】ルーバの平面図である。
【図５】階段の壁に設置した状態の斜視図である。
【図６】（ａ）は第２の実施の形態の器具本体の壁取付状態の平面図、（ｂ）はその側面図、（ｃ）は正面図である。
【図７】（ａ）は照明器具の壁取付状態のルーバを外した状態の平面図、（ｂ）は断面図である。
【図８】（ａ）は第３の実施の形態の照明器具の壁取付状態のルーバを外した状態の平面図、（ｂ）は断面図である。
【図９】（ａ）は第４の実施の形態の照明器具の壁取付状態のルーバを外した状態の平面図、（ｂ）は断面図である。
【符号の説明】
１    器具本体
２    カバー
３    ルーバ
３ａ、３ｂ    ルーバ片
４    光源
【図１】
0004076772.tif 000002
【図２】
0004076772.tif 000003
【図３】
0004076772.tif 000004
【図４】
0004076772.tif 000005
【図５】
0004076772.tif 000006
【図６】
0004076772.tif 000007
【図７】
0004076772.tif 000008
【図８】
0004076772.tif 000009
【図９】
0004076772.tif 000010